(57)【要約】【課題】精算時の現金過不足を削減しつつ、各顧客との取引処理時間を短くすること。【解決手段】貨幣処理機１は、顧客からの預り金を一時保持する硬貨投入口及び紙幣投入口を備え、ＰＯＳレジスタ装置２は、預り金金額を手入力する入出力部３と、入出力部３によって手入力された入力預り金金額６ａと顧客の購入金額との差額である釣銭を計算し、貨幣処理機１に対して出金指示を行う入出金制御部４ａと、入力預り金金額６ａを保持するメモリ６と、貨幣処理機１を入金許可状態にする照合開始タイミングを指示する照合指示制御部４ｂと、照合指示制御部４ｂからの照合開始タイミングの指示を受けて、貨幣処理機１に対して、一時保持された預り金の入金取り込み及び計数を行わせ、計数した計数預り金金額６ｂと現在までの入力預り金金額６ａの合計値とが一致するか否かの照合処理を行う照合制御部４ｃと、を備える。【選択図】図５
2015225614.tif 000002
【特許請求の範囲】
【請求項１】
入金された貨幣を取り込んで収納庫に振分収納し、上位装置からの出金指示によって前記収納庫から釣銭に相当する収納貨幣を払い出す貨幣処理機と、前記貨幣処理機に接続された上位装置とを有したレジスタシステムであって、
顧客からの預り金を一時保持する一時保持部と、
預り金金額を手入力する入力部と、
前記入力部によって手入力された入力預り金金額と前記顧客の購入金額との差額である釣銭を計算し、前記貨幣処理機に対して前記出金指示を行う入出金制御部と、
前記入力預り金金額を保持する入力預り金金額保持部と、
前記貨幣処理機を入金許可状態にする照合開始タイミングを指示する照合指示制御部と、
前記照合指示制御部からの照合開始タイミングの指示を受けて、前記貨幣処理機に対して、一時保持された預り金の入金取り込み及び計数を行わせ、計数した計数預り金金額と現在までの前記入力預り金金額の合計値とが一致するか否かの照合処理を行う照合制御部と、
を備えたことを特徴とするレジスタシステム。
【請求項２】
前記上位装置は、前記照合開始タイミングを指示入力する照合指示入力部を備え、
前記照合指示制御部は、前記照合指示入力部からの照合開始タイミングの指示入力によって前記照合制御部に照合処理を行わせることを特徴とする請求項１に記載のレジスタシステム。
【請求項３】
前記照合指示制御部は、現在までの前記入力預り金金額の合計値が所定値を超えた場合に前記照合開始タイミングを前記照合制御部に出力することを特徴とする請求項１に記載のレジスタシステム。
【請求項４】
前記照合指示制御部は、所定時刻または所定時間経過毎に前記照合開始タイミングを前記照合制御部に出力することを特徴とする請求項１に記載のレジスタシステム。
【請求項５】
前記照合指示制御部は、預り金の入金取り込み及び計数を行わない、購入する商品の商品登録から釣銭払い出しまでの一連の対顧客取引処理の後に、前記照合開始タイミングの指示を許可することを特徴とする請求項１〜４のいずれか一つに記載のレジスタシステム。
【請求項６】
前記照合指示制御部は、前記照合開始タイミングの指示の許可状態を表示出力することを特徴とする請求項５に記載のレジスタシステム。
【請求項７】
前記一時保持部は、前記貨幣処理機の硬貨投入口及び紙幣投入口であることを特徴とする請求項１〜６のいずれか一つに記載のレジスタシステム。
【請求項８】
前記照合制御部は、前記貨幣処理機に設けられ、
前記貨幣処理機の照合制御部は、前記入力預り金金額の合計値を前記上位装置から受け取って前記照合処理を行い、照合結果を前記上位装置に通知することを特徴とする請求項１〜７のいずれか一つに記載のレジスタシステム。
【請求項９】
前記照合制御部は、計数した預り金金額値と現在までの前記預り金金額値の合計値とが一致しない場合、この照合処理した処理内容を退避させておくことを特徴とする請求項１〜８のいずれか一つに記載のレジスタシステム。
【請求項１０】
出力部を備え、
前記照合制御部は、照合処理の結果を前記出力部に出力することを特徴とする請求項１〜９のいずれか一つに記載のレジスタシステム。
【請求項１１】
入金された貨幣を取り込んで収納庫に振分収納し、上位装置からの出金指示によって前記収納庫から釣銭に相当する収納貨幣を払い出す貨幣処理機と、前記貨幣処理機に接続された上位装置とを有したレジスタシステムの取引制御方法であって、
前記上位装置は、前記貨幣処理機を出金状態にした後、預り金を一時保持するとともに、手入力された入力預り金金額を保持し、前記入力預り金金額と購入金額との差額を釣銭として貨幣処理機から出金させ、
前記貨幣処理機は、前記上位装置からの照合開始タイミングの指示を受けて、前記貨幣処理機を入金許可状態にし、一時保持された預り金の入金取り込み及び計数を行い、該計数した計数預り金金額を前記上位装置に通知し、
前記上位装置は、前記計数預り金金額と、現在までの前記入力預り金金額の合計値とが一致するか否かの照合処理を行うことを特徴とするレジスタシステムの取引制御方法。
【請求項１２】
入金された貨幣を取り込んで収納庫に振分収納し、上位装置からの出金指示によって前記収納庫から釣銭に相当する収納貨幣を払い出す貨幣処理機と、前記貨幣処理機に接続された上位装置とを有したレジスタシステムの取引制御方法であって、
前記上位装置は、前記貨幣処理機を出金状態にした後、預り金を一時保持するとともに、手入力された入力預り金金額を保持し、前記入力預り金金額と購入金額との差額を釣銭として貨幣処理機から出金させ、
前記貨幣処理機は、前記上位装置からの照合開始タイミングの指示を受けて、前記貨幣処理機を入金許可状態にし、一時保持された預り金の入金取り込み及び計数を行い、前記上位装置から現在までの前記入力預り金金額の合計値を受けて、前記計数預り金金額と、現在までの前記入力預り金金額の合計値とが一致するか否かの照合処理を行い、この照合結果を前記上位装置に通知することを特徴とするレジスタシステムの取引制御方法。
【請求項１３】
前記照合開始タイミングの指示は、上位装置の照合指示入力部からの指示によって行われることを特徴とする請求項１１または１２に記載のレジスタシステムの取引制御方法。
【請求項１４】
前記照合開始タイミングの指示は、現在までの前記入力預り金金額の合計値が所定値を超えた場合に行われることを特徴とする請求項１１または１２に記載のレジスタシステムの取引制御方法。
【請求項１５】
前記預り金は、前記貨幣処理機の硬貨投入口及び紙幣投入口に一時保持されることを特徴とする請求項１１〜１４のいずれか一つに記載のレジスタシステムの取引制御方法。
【発明の詳細な説明】
【技術分野】
【０００１】
本発明は、精算時の現金過不足を削減しつつ、各顧客との取引処理時間を短くすることができるレジスタシステム及びその取引制御方法に関する。
【背景技術】
【０００２】
昨今のスーパーマーケットやコンビニエンスストア等の店舗には、客さばきや現金管理の厳正化のため、自動釣銭機として貨幣処理機が設置されている。この貨幣処理機は、通常、ＰＯＳレジスタ（Ｐｏｉｎｔ Ｏｆ Ｓａｌｅｓ）装置等の上位装置に接続されており、上位装置からの指令に応じて硬貨や紙幣等の金銭の入出金処理を行うものである。
【０００３】
ここで、ＰＯＳレジスタ装置と貨幣処理機とからなるレジスタシステムの取引処理には、入金先行処理と釣銭先行処理とがある。入金先行処理では、購入額が確定すると、顧客から預り金を受け取って貨幣処理機に投入し、自動計数した額と購入額との差を釣銭として払い出す処理を行う。一方、釣銭先行処理では、購入額が確定すると、顧客から預り金を受け取って、この預り金の金額をレジ担当者が打刻し、この打刻した預り金の金額と購入額との差を釣銭として払い出して顧客に釣銭を手渡し、その後、預り金を貨幣処理機に投入し、預り金を自動計数する。
【０００４】
入金先行処理では、預り金を貨幣処理機が自動計数した額と購入額との差を釣銭として払い出すようにしているので、預り金の計算を間違いなく行うことができるが、預り金の自動計数処理時間がかかるため、顧客との取引処理時間が長くなってしまう。一方、釣銭先行処理では、預り金を貨幣処理機が自動計数せず、レジ担当者が打刻した預り金の金額と購入額との差を釣銭として払い出すようにしているので、顧客との取引処理時間を短くすることができるが、預り金の金額はレジ担当者が打刻した額であるため、預り金の手入力に間違いが発生することがある。
【０００５】
なお、特許文献１では、釣銭先行処理を行う際、顧客との取引処理毎に、打刻した預り金の金額と、貨幣処理機が自動計数した預り金の金額とが一致するか否かの照合処理を行うようにしている。
【先行技術文献】
【特許文献】
【０００６】
【特許文献１】特開２００７−６６１８５号公報
【発明の概要】
【発明が解決しようとする課題】
【０００７】
しかしながら、上述した従来の釣銭先行処理あるいは入金先行処理では、いずれも、一人の顧客に対する一回の取引処理内に、貨幣処理機による自動計数処理を行っているため、顧客が多い場合、この自動計数処理時間によって各顧客との取引処理時間が長くなってしまう。この貨幣処理機による自動計数処理には、貨幣の取り込みのためのモータ駆動時間と金銭鑑別処理時間とがかかる。
【０００８】
特に、少額取引を行う顧客が集中する店舗などでは、一回の取引処理時間を短くしたいという要望がある。一方、精算時の現金過不足を削減することも必要である。
【０００９】
本発明は、上記に鑑みてなされたものであって、精算時の現金過不足を削減しつつ、各顧客との取引処理時間を短くすることができるレジスタシステム及びその取引制御方法を提供することを目的とする。
【課題を解決するための手段】
【００１０】
上述した課題を解決し、目的を達成するために、本発明にかかるレジスタシステムは、入金された貨幣を取り込んで収納庫に振分収納し、上位装置からの出金指示によって前記収納庫から釣銭に相当する収納貨幣を払い出す貨幣処理機と、前記貨幣処理機に接続された上位装置とを有したレジスタシステムであって、顧客からの預り金を一時保持する一時保持部と、預り金金額を手入力する入力部と、前記入力部によって手入力された入力預り金金額と前記顧客の購入金額との差額である釣銭を計算し、前記貨幣処理機に対して前記出金指示を行う入出金制御部と、前記入力預り金金額を保持する入力預り金金額保持部と、前記貨幣処理機を入金許可状態にする照合開始タイミングを指示する照合指示制御部と、前記照合指示制御部からの照合開始タイミングの指示を受けて、前記貨幣処理機に対して、一時保持された預り金の入金取り込み及び計数を行わせ、計数した計数預り金金額と現在までの前記入力預り金金額の合計値とが一致するか否かの照合処理を行う照合制御部と、を備えたことを特徴とする。
【００１１】
また、本発明にかかるレジスタシステムは、上記の発明において、前記上位装置は、前記照合開始タイミングを指示入力する照合指示入力部を備え、前記照合指示制御部は、前記照合指示入力部からの照合開始タイミングの指示入力によって前記照合制御部に照合処理を行わせることを特徴とする。
【００１２】
また、本発明にかかるレジスタシステムは、上記の発明において、前記照合指示制御部は、現在までの前記入力預り金金額の合計値が所定値を超えた場合に前記照合開始タイミングを前記照合制御部に出力することを特徴とする。
【００１３】
また、本発明にかかるレジスタシステムは、上記の発明において、前記照合指示制御部は、所定時刻または所定時間経過毎に前記照合開始タイミングを前記照合制御部に出力することを特徴とする。
【００１４】
また、本発明にかかるレジスタシステムは、上記の発明において、前記照合指示制御部は、預り金の入金取り込み及び計数を行わない、購入する商品の商品登録から釣銭払い出しまでの一連の対顧客取引処理の後に、前記照合開始タイミングの指示を許可することを特徴とする。
【００１５】
また、本発明にかかるレジスタシステムは、上記の発明において、前記照合指示制御部は、前記照合開始タイミングの指示の許可状態を表示出力することを特徴とする。
【００１６】
また、本発明にかかるレジスタシステムは、上記の発明において、前記一時保持部は、前記貨幣処理機の硬貨投入口及び紙幣投入口であることを特徴とする。
【００１７】
また、本発明にかかるレジスタシステムは、上記の発明において、前記照合制御部は、前記貨幣処理機に設けられ、前記貨幣処理機の照合制御部は、前記入力預り金金額の合計値を前記上位装置から受け取って前記照合処理を行い、照合結果を前記上位装置に通知することを特徴とする。
【００１８】
また、本発明にかかるレジスタシステムは、上記の発明において、前記照合制御部は、計数した預り金金額値と現在までの前記預り金金額値の合計値とが一致しない場合、この照合処理した処理内容を退避させておくことを特徴とする。
【００１９】
また、本発明にかかるレジスタシステムは、上記の発明において、出力部を備え、前記照合制御部は、照合処理の結果を前記出力部に出力することを特徴とする。
【００２０】
また、本発明にかかるレジスタシステムの取引制御方法は、入金された貨幣を取り込んで収納庫に振分収納し、上位装置からの出金指示によって前記収納庫から釣銭に相当する収納貨幣を払い出す貨幣処理機と、前記貨幣処理機に接続された上位装置とを有したレジスタシステムの取引制御方法であって、前記上位装置は、前記貨幣処理機を出金状態にした後、預り金を一時保持するとともに、手入力された入力預り金金額を保持し、前記入力預り金金額と購入金額との差額を釣銭として貨幣処理機から出金させ、前記貨幣処理機は、前記上位装置からの照合開始タイミングの指示を受けて、前記貨幣処理機を入金許可状態にし、一時保持された預り金の入金取り込み及び計数を行い、該計数した計数預り金金額を前記上位装置に通知し、前記上位装置は、前記計数預り金金額と、現在までの前記入力預り金金額の合計値とが一致するか否かの照合処理を行うことを特徴とする。
【００２１】
また、本発明にかかるレジスタシステムの取引制御方法は、入金された貨幣を取り込んで収納庫に振分収納し、上位装置からの出金指示によって前記収納庫から釣銭に相当する収納貨幣を払い出す貨幣処理機と、前記貨幣処理機に接続された上位装置とを有したレジスタシステムの取引制御方法であって、前記上位装置は、前記貨幣処理機を出金状態にした後、預り金を一時保持するとともに、手入力された入力預り金金額を保持し、前記入力預り金金額と購入金額との差額を釣銭として貨幣処理機から出金させ、前記貨幣処理機は、前記上位装置からの照合開始タイミングの指示を受けて、前記貨幣処理機を入金許可状態にし、一時保持された預り金の入金取り込み及び計数を行い、前記上位装置から現在までの前記入力預り金金額の合計値を受けて、前記計数預り金金額と、現在までの前記入力預り金金額の合計値とが一致するか否かの照合処理を行い、この照合結果を前記上位装置に通知することを特徴とする。
【００２２】
また、本発明にかかるレジスタシステムの取引制御方法は、上記の発明において、前記照合開始タイミングの指示は、上位装置の照合指示入力部からの指示によって行われることを特徴とする。
【００２３】
また、本発明にかかるレジスタシステムの取引制御方法は、上記の発明において、前記照合開始タイミングの指示は、現在までの前記入力預り金金額の合計値が所定値を超えた場合に行われることを特徴とする。
【００２４】
また、本発明にかかるレジスタシステムの取引制御方法は、上記の発明において、前記預り金は、前記貨幣処理機の硬貨投入口及び紙幣投入口に一時保持されることを特徴とする。
【発明の効果】
【００２５】
本発明によれば、一時保持部が、顧客からの預り金を一時保持し、入力部から預り金金額を手入力し、入力預り金額保持部が、入力預り金金額を保持し、入出金制御部が、前記入力部によって手入力された入力預り金金額と前記顧客の購入金額との差額である釣銭を計算し、貨幣処理機に対して出金指示を行い、照合指示制御部が、前記貨幣処理機を入金許可状態にする照合開始タイミングを指示し、照合制御部が、前記照合指示制御部からの照合開始タイミングの指示を受けて、前記貨幣処理機に対して、一時保持された預り金の入金取り込み及び計数を行わせ、計数した計数預り金金額と現在までの前記入力預り金金額の合計値とが一致するか否かの照合処理を行うようにしている。すなわち、本発明では、対顧客取引処理に預り金の入金処理を含めないので、各顧客との取引処理時間を短くすることができるとともに、適時の照合開始タイミングで照合処理を行うようにしているので、精算時の現金過不足を削減することができる。
【図面の簡単な説明】
【００２６】
【図１】図１は、本発明の実施の形態であるレジスタシステムの全体構成を示す分解斜視図である。
【図２】図２は、図１に示した貨幣処理機の平面図である。
【図３】図３は、図２に示した貨幣処理機の硬貨収納ユニットの動作を説明する模式図である。
【図４】図４は、図２に示した貨幣処理機の紙幣収納ユニットの動作を説明する模式図である。
【図５】図５は、図１に示したレジスタシステムの制御系の構成を示すブロック図である。
【図６】図６は、図１に示したレジスタシステムの取引制御処理手順を示すシーケンス図である。
【図７】図７は、図１に示した入出力部の入出力画面の一例を示す図である。
【発明を実施するための形態】
【００２７】
以下、添付図面を参照してこの発明を実施するための形態について説明する。
【００２８】
（レジスタシステムの構造）
図１〜図４は、本発明の実施の形態であるレジスタシステム及びレジスタシステムを構成する貨幣処理機を示したものである。ここで例示するレジスタシステムは、スーパーマーケットやコンビニエンスストア等の店舗において自動釣銭機として用いられる貨幣処理機１と、これに接続される上位装置としてのＰＯＳレジスタ装置２とからなる。図１に示すように、貨幣処理機１の上面にＰＯＳレジスタ装置２が配置され、貨幣処理機１とＰＯＳレジスタ装置２とは通信線Ｎを介して接続される。
【００２９】
貨幣処理機１は、直方体状を成す装置本体の前端部に硬貨投入口１１、硬貨出金口１２、硬貨返却口１６、紙幣投入口２１、紙幣出金口２２を備えている。なお、図２に示すように、貨幣処理機１は、硬貨収納ユニット１０と紙幣収納ユニット２０とを有する。一方、ＰＯＳレジスタ装置２は、平板状のレジスタ制御部４上に、タッチパネルで実現される入出力部３を有する。また、レジスタ制御部４には、バーコードリーダ５が接続される。なお、入出力部３は、入力部と出力部とに分離された構成であってもよい。
【００３０】
（硬貨収納ユニットの動作）
硬貨投入口１１は、投入された硬貨を装置本体の内部に受け入れるための開口であり、装置本体の前端上面に形成してある。硬貨投入口１１は、顧客からの預り金を一時保持する一時保持部として機能する。硬貨投入口１１に投入された硬貨は、ＰＯＳレジスタ装置２側からの入金許可指令を受け、図示せぬ投入検出センサによって検出された後、図３に示すように、硬貨収納ユニット１０の入金搬送機構１３ｃによって搬送される。入金搬送機構１３ｃ内に設けられた硬貨鑑別センサ１４は、硬貨の真贋及び金種を判定する。搬送された硬貨が正貨である場合、一時保留庫１５ｇに保留される。一方、搬送された硬貨が正貨でない場合、硬貨出金口１２を介して受け皿１７に返却される。なお、ＰＯＳレジスタ装置２側からの返却指示があった場合、一時保留庫１５ｇに保留された硬貨は、硬貨返却口１６に返却される。
【００３１】
その後、後述する照合処理が一致すると判定された場合、一時保留庫１５ｇに保留された硬貨は、振分搬送機構１３ａによって搬送される。一方、照合処理が一致しないと判定された場合、不一致が生じた時刻及び内容を含む不一致情報がメモリに保持され、その後、一時保留庫１５ｇに保留された硬貨は、振分搬送機構１３ａによって搬送される。振分搬送機構１３ａによって搬送される硬貨は、金種に応じて硬貨収納庫１５に収納されることになる。なお、照合処理の一致・不一致にかかわらず、入力された硬貨を位置意地保留庫１５ｇに保留せずに、直接、硬貨収納庫１５に収納するようにしてもよい。本実施の形態では、装置本体の内部に１円硬貨収納庫１５ａ、５０円硬貨収納庫１５ｂ、５円硬貨収納庫１５ｃ、１００円硬貨収納庫１５ｄ、１０円硬貨収納庫１５ｅ、５００円硬貨収納庫１５ｆが設けてあり、投入された硬貨を金種ごとに個別に収納するようにしている。なお、一時保留庫１５ｇは、各硬貨収納庫１５ａ〜１５ｆに収納された硬貨を一旦空にして各硬貨収納庫１５ａ〜１５ｆの収納個数を再計数するための精査庫としても機能する。硬貨出金口１２は、ＰＯＳレジスタ装置２側からの出金指令に応じてそれぞれの硬貨収納庫１５から出金搬送機構１３ｂを介して搬出された硬貨を装置本体の外部に払い出すための開口であり、装置本体の前面に形成してある。
【００３２】
（紙幣収納ユニットの動作）
紙幣投入口２１は、投入された紙幣を装置本体の内部に受け入れるための開口であり、装置本体の前面上部に設けてある。紙幣投入口２１は、顧客から預り金を一時保持する一時保持部として機能する。紙幣投入口２１に投入された紙幣は、ＰＯＳレジスタ装置２側からの入金許可指令を受け、図示せぬ投入検出センサによって検出された後、図４に示すように、紙幣収納ユニット２０の紙幣搬送機構２３によって搬送される。搬送された紙幣は、紙幣鑑別センサ２４によって、紙幣の真贋及び金種が判定される。搬送された紙幣が正券である場合、金種に応じて紙幣収納庫２５内の１０００円紙幣収納庫２５ｂまたは混合紙幣収納庫２５ｃの上流側部分に分割構成された一時保留庫２６に保留される。一方、搬送された紙幣が正券でない場合、あるいは、ＰＯＳレジスタ装置２側からの返却指示があった場合、紙幣は紙幣出金口２２に返却される。
【００３３】
その後、照合処理によって一致すると判定された場合、一時保留庫２６に保留された紙幣は、１０００円紙幣収納庫２５ｂまたは混合紙幣収納庫２５ｃに収納される。一方、照合処理によって一致しないと判定された場合、不一致が生じた時刻及び内容を含む不一致情報がメモリに保持され、その後、一時保留庫２６内に保留された紙幣は、１０００円紙幣収納庫２５ｂまたは混合紙幣収納庫２５ｃに収納される。なお、混合紙幣収納庫２５ｃは、１０００円紙幣以外の紙幣を収納する。例えば、１００００円紙幣や５０００円紙幣を混合して収納する。また、精査庫２５ａは、１０００円紙幣収納庫２５ｂ、混合紙幣収納庫２５ｃに収納された紙幣を一旦空にして各紙幣収納庫２５ｂ、２５ｃの収納枚数を再計数する際に一時収納する収納庫である。紙幣出金口２２は、ＰＯＳレジスタ装置２側からの出金指令に応じて、紙幣収納庫２５ｂ、２５ｃから搬出された紙幣を装置本体の外部に払い出すための開口であり、装置本体の前面に設けてある。
【００３４】
なお、貨幣処理機１の前面右上部には、図１に示したように操作表示部３０が設けてある。操作表示部３０は、表示部３０ａ及び操作部３０ｂを有する。表示部３０ａは、金種ごとの貨幣の収納状況を表示する７セグメントのＬＥＤ表示器と、その貨幣の収納状況に関する情報及び他の必要な情報を文字表示するＬＣＤ表示器と、表示もしくは音声出力をすべき情報があることを示すヘルプランプを有する。なお、これらの情報は音声出力することも可能である。特に、表示部３０ａは、硬貨収納ユニット１０及び紙幣収納ユニット２０内の収納された貨幣収納枚数が予め設定した所定枚数以上あるいは以下になったときにその情報を表示あるいは音声出力する。
【００３５】
また、操作部３０ｂは、操作者が各種指令を入力するためのもので、例えば複数の押ボタンスイッチによって構成してある。例えば、ヘルプランプの点灯が示す情報を表示あるいは音声出力させるヘルプスイッチ、貨幣収納枚数が所定枚数になったときに余剰金回収動作を実行するための回収スイッチ、不足金補充動作を実行するための補充スイッチ、これらの動作の実行を許可するかしないかを設定する設定スイッチ、及び実行するための実行スイッチを有する。
【００３６】
（レジスタシステムの制御系）
図５は、上述したレジスタシステムの制御系を示すブロック図である。図５に示すように、レジスタシステムは、ＰＯＳレジスタ装置２と貨幣処理機１とが通信線Ｎで接続される。ＰＯＳレジスタ装置２では、レジスタ制御部４に、バーコードリーダ５、入出力部３、メモリ６が接続される。
【００３７】
レジスタ制御部４は、入出金制御部４ａ、照合指示制御部４ｂ、照合制御部４ｃを有する。入出金制御部４ａは、入出力部３の現計ボタン３ｃが押下された場合、貨幣処理機１に対して釣銭の払い出しを命ずる出金指令を出力する。また、入出金制御部４ａは、入出力部３のまとめ入金ボタン３ｄが押下された場合、照合指示制御部４ｂからの照合開始タイミングで貨幣処理機１に対して入金許可指令を出力する。照合制御部４ｃは、貨幣処理機１に対して、一時保持された預り金の入金取り込み及び計数を行わせ、計数した計数預り金金額を通知させ、この計数預り金金額と現在まで手入力された入力預り金金額の合計値とが一致するか否かの照合処理を行う。なお、レジスタ制御部４は、バーコードリーダ５が読み取った１以上の商品の金額を登録し、入出力部３の小計ボタン３ａの押下によって購入金額を計算し、この購入金額を入出力部３に表示する。また、レジスタ制御部４は、入出力部３の預り金入力ボタン３ｂが押下されると、入出力部３から手入力された入力預り金金額をメモリ６内に入力預り金金額６ａとして保持する。ここで、預り金入力ボタン３ｂは、照合指示入力部として機能する。なお、メモリ６内には、貨幣処理機１から通知された計数預り金金額６ｂと、照合制御部４ｃによる照合結果が照合情報６ｃとして保持される。また、入力預り金金額６ａ、計数預り金金額６ｂ、照合情報６ｃには、それぞれ時刻情報やレジ担当者のＩＤ情報などの属性情報も含まれる。
【００３８】
貨幣処理機１では、制御部４０に、硬貨収納ユニット１０、紙幣収納ユニット２０、操作表示部３０、メモリ５０が接続される。
【００３９】
制御部４０は、操作表示部３０を通じて指令が与えられた場合、硬貨鑑別センサ１４、紙幣鑑別センサ２４から検出信号が与えられた場合、さらには上位装置であるＰＯＳレジスタ装置２から各種指令が与えられた場合、メモリ５０に格納したプログラムや初期データに基づいて操作表示部３０の表示制御、硬貨搬送機構１３ａ，１３ｂ，１３ｃの駆動制御、紙幣搬送機構２３の駆動制御を行うものである。制御部４０は、入出金制御部４０ａを有する。
【００４０】
入出金制御部４０ａは、ＰＯＳレジスタ装置２から入力許可指令が与えられた後に貨幣が投入された場合に、入金許可指令に従って貨幣の入金処理を行い、また、ＰＯＳレジスタ装置２から出金指令が与えられた場合に、出金指令に従って貨幣の出金処理を行うものである。また、入出金制御部４０ａは、これらの入金処理及び出金処理を実行している間、実施した入金処理及び出金処理の内容を入出金情報として逐次、メモリ５０に格納する処理も行う。
【００４１】
（レジスタシステムの取引制御処理）
図６は、レジスタシステムの取引制御処理を示すシーケンス図である。図６に示すように、まず、ＰＯＳレジスタ装置２では、入出金制御部４ａが貨幣処理機１に対して出金モード指令を出力する（ステップＳ１０１）。この出金モード指令は、貨幣処理機１が出金処理のみを行い、入金処理を禁止させるものである。その後、ＰＯＳレジスタ装置２は、対顧客取引処理Ｓ１を行う。
【００４２】
対顧客取引処理Ｓ１（ステップＳ１０２〜Ｓ１０８，Ｓ２０１）では、まず、バーコードリーダ５が読み取った１以上の商品を登録し、その金額を保持する（ステップＳ１０２）。その後、図７に示した小計ボタン３ａが押下されたか否かを判断する（ステップＳ１０３）。小計ボタン３ａが押下されていない場合（ステップＳ１０３，Ｎｏ）には、ステップＳ１０２に移行し、さらに商品の登録とその金額の保持を行う。一方、小計ボタン３ａが押下された場合（ステップＳ１０３，Ｙｅｓ）には、商品登録された金額の合計、すなわち購入金額の計算を行い、さらに図７に示すように、入出力部３のお買い上げ領域Ｅａに購入金額を表示する（ステップＳ１０４）。
【００４３】
その後、顧客が購入金額以上の預り金をレジ担当者に手渡すと、レジ担当者は、入出力部３の金額入力部Ｅ２から預り金金額を手入力する。なお、金額入力部Ｅ２は、仮想テンキーなどで実現される。ＰＯＳレジスタ装置２は、手入力された預り金金額を受け付け、入力預り金金額６ａとしてメモリ６に保持するとともに、図７に示すように、入出力部３のお預り領域Ｅｂに入力預り金金額６ａを表示する（ステップＳ１０５）。なお、入力預り金金額６ａの確定は、預り金入力ボタン３ｂの押下によってなされる。
【００４４】
その後、ＰＯＳレジスタ装置２は、現計ボタン３ｃが押下されたか否かを判断する（ステップＳ１０６）。現計ボタン３ｃが押下されない場合（ステップＳ１０６，Ｎｏ）の場合は、この判断処理を繰り返し、現計ボタン３ｃが押下された場合（ステップＳ１０６，Ｙｅｓ）には、釣銭計算を行う（ステップＳ１０７）。この釣銭計算は、入力預り金金額６ａから購入金額を減算することである。この釣銭計算の結果は、図７に示すように、入出力部３のお釣り領域Ｅｃに表示される。
【００４５】
その後、ＰＯＳレジスタ装置２は、釣銭計算の結果である釣銭を貨幣処理機１から出金させる出金指令を貨幣処理機１に出力する（ステップＳ１０８）。
【００４６】
一方、出金指令を受けた貨幣処理機１は、出金指令に応じた釣銭を出金させる出金処理を行い（ステップＳ２０１）、釣銭の払い出しが終了した時点でＰＯＳレジスタ装置２に出金終了通知を送る。これによって、上述した１回の対顧客取引処理Ｓ１が終了する。すなわち、レジ担当者は、貨幣処理機１から払い出された釣銭とともに、ＰＯＳレジスタ装置２から出力されたレシートを顧客に手渡すことによって、ひとりの顧客に対する対顧客取引処理Ｓ１を終了させる。そして、レジ担当者は、つぎの顧客に対する対顧客取引処理Ｓ１を行うことができる。この対顧客取引処理Ｓ１では、貨幣処理機１に対する入金処理が含まれないため、ひとりの顧客に対する取引処理時間を短くすることができる。
【００４７】
その後、ＰＯＳレジスタ装置２の照合指示制御部４ｂは、図７に示した、まとめ入金ボタン３ｄが押下されたか否かを判断する（ステップＳ１０９）。このまとめ入金ボタン３ｄは、一時保持された預り金の計数預り金金額と、現在までの入力預り金金額の合計値との照合処理を行う照合開始タイミングを指示するものである。ただし、照合指示制御部４ｂは、対顧客取引処理Ｓ１中には、このまとめ入金ボタン３ｄの押下による照合開始タイミングの指示を許可せず、受け付けない。このため、照合指示制御部４ｂは、対顧客取引処理Ｓ１中には、まとめ入金ボタン３ｄを表示せず、あるいは、まとめ入金ボタン３ｄの輝度を落として表示することが好ましい。または、照合指示制御部４ｂは、対顧客取引処理Ｓ１中に、入出力部３のメッセージ表示領域Ｅ１に、まとめ入金ができない旨を表示するようにしてもよい。なお、入出力部３には、１以上の入力預り金金額が表示される。例えば、図７に示した領域Ｅｄには、入金保留取引として、１以上の現在までの入力預り金金額６ａが表示される。
【００４８】
その後、ＰＯＳレジスタ装置２は、まとめ入金ボタン３ｄが押下されない場合（ステップＳ１０９，Ｎｏ）には、ステップＳ１０２に移行して、上述した、対顧客取引処理Ｓ１を行う。一方、まとめ入金ボタン３ｄが押下された場合（ステップＳ１０９，Ｙｅｓ）には、照合指示制御部４ｂは、入金許可指令を貨幣処理機１に送出する（ステップＳ１１０）。
【００４９】
この入金許可指令を受けた貨幣処理機１は、一時保持部である硬貨投入口１１及び紙幣投入口２１に一時保持された貨幣（預り金）を取り込み、自動計数処理を行う（ステップＳ２０２）。その後、貨幣処理機１は、計数預り金金額６ｂをＰＯＳレジスタ装置２側に通知する（ステップＳ２０３）。
【００５０】
その後、照合制御部４ｃは、現在までの入力預り金金額６ａの合計値を算出し、通知された計数預り金金額６ｂと、現在までの入力預り金金額６ａの合計値との照合処理を行う（ステップＳ１１１）。さらに、照合制御部４ｃは、照合結果を、例えば入出力部３のメッセージ表示領域Ｅ１に表示し、メモリ６に照合情報６ｃとして保持し、さらに照合結果を貨幣処理機１に通知する（ステップＳ１１２）。
【００５１】
その後、ＰＯＳレジスタ装置２は、ステップＳ１０１に移行して、上述した、対顧客取引処理Ｓ１を行う。
【００５２】
一方、照合結果通知を受けた貨幣処理機１は、照合結果が一致であるか否かを判断する（ステップＳ２０４）。照合結果が一致である場合（ステップＳ２０４，Ｙｅｓ）には、一時保留庫１５ｇ，２６に保留されている貨幣を貨幣収納庫１５ａ〜１５ｆ及び紙幣収納庫２５ｂ，２５ｃに格納する振分処理を行った（ステップＳ２０６）後、ステップＳ２０１に移行して出金指令を待つ。一方、照合結果が一致でない場合（ステップＳ２０４，Ｎｏ）には、通知された照合結果をメモリ５０に保持する退避処理を行った（ステップＳ２０５）後、ステップＳ２０６の振分処理を行い、その後ステップＳ２０１に移行して出金指令を待つ。
【００５３】
上述した実施の形態では、対顧客取引処理Ｓ１内に入金処理が含まれないため、ひとりの顧客に対する取引処理時間を短くすることができるとともに、計数預り金金額６ｂと、現在までの入力預り金金額６ａの合計値との照合処理を行うようにしているので、精算時の現金過不足を削減することができる。
【００５４】
（変形例１）
上述した実施の形態では、ステップＳ１０９で、まとめ入金ボタン３ｄの押下を照合開始タイミングの指示入力としていたが、この変形例１では、ステップＳ１０９に替えて、照合指示制御部４ｂが、現在までの入力預り金金額６ａの合計値が所定値を超えたか否かを判断し、所定値を超えた場合を照合開始タイミングとして取り扱うようにしている。この場合、まとめ金額ボタン３ｄは、不要となるが、照合指示制御部４ｂは、照合開始タイミングの指示の許可状態を入出力部３に表示出力することが好ましい。
【００５５】
（変形例２）
この変形例２では、ステップＳ１０９の処理に替えて、照合指示制御部４ｂが、所定時刻または所定時間経過を照合開始タイミングとして取り扱うようにしている。なお、照合指示制御部４ｂは、照合開始タイミングの指示の許可状態を入出力部３に表示出力することが好ましい。
【００５６】
（変形例３）
また、ＰＯＳレジスタ装置２の照合制御部４ｃを、貨幣処理機１の制御部４０に設け、貨幣処理機１側で照合処理を行うようにしてもよい。すなわち、ステップＳ１１１の処理をステップＳ２０３の処理の後に行うようにしてもよい。この場合、貨幣処理機１は、ＰＯＳレジスタ装置２側から入金預り金金額６ａの合計値を通知してもらう。また、貨幣処理機１は、照合結果をＰＯＳレジスタ装置２側に通知する。
【００５７】
なお、上述した実施の形態および変形例では、照合結果が一致しない場合、その旨を入出力部３に表示するようにしていたが、これに限らず、貨幣処理機１の操作表示部３０に対する報知表示やブザーなどの鳴動処理を行うようにしてもよい。さらには、ＰＯＳレジスタ装置２がさらに接続される上位装置に、照合結果が一致しない旨および内容を通知するようにしてもよい。このような表示、鳴動、通知などの報知処理を施すことによって、照合結果が一致しない場合における対処を迅速に行うことができる。
【００５８】
また、上述した実施の形態及び各変形例では、顧客からの預り金を一時保持する一時保持部として硬貨投入口１１及び紙幣投入口２１を用いていたが、これに限らず、別途、一時保持部を設け、照合処理のときに、一時保持部に一時保持された預り金を硬貨投入口１１及び紙幣投入口２１に投入するようにしてもよい。
【００５９】
さらに、上述した実施の形態及び各変形例の構成要素は、適宜組み合わせが可能である。
【符号の説明】
【００６０】
１  貨幣処理機
２  ＰＯＳレジスタ装置
３  入出力部
３ａ  小計ボタン
３ｂ  預り金入力ボタン
３ｃ  現計ボタン
３ｄ  まとめ入金ボタン
４  レジスタ制御部
４ａ，４０ａ  入出金制御部
４ｂ  照合指示制御部
４ｃ  照合制御部
５  バーコードリーダ
６，５０  メモリ
６ａ  入力預り金金額
６ｂ  計数預り金金額
６ｃ  照合情報
１０  硬貨収納ユニット
１１  硬貨投入口
１２  硬貨出金口
１３ａ  振分搬送機構（硬貨搬送機構）
１３ｂ  出金搬送機構（硬貨搬送機構）
１３ｃ  入金搬送機構（硬貨搬送機構）
１４  硬貨鑑別センサ
１５  硬貨収納庫
１５ａ  １円硬貨収納庫
１５ｂ  ５０円硬貨収納庫
１５ｃ  ５円硬貨収納庫
１５ｄ  １００円硬貨収納庫
１５ｅ  １０円硬貨収納庫
１５ｆ  ５００円硬貨収納庫
１５ｇ，２６  一時保留庫
１６  硬貨返却口
１７  受け皿
２０  紙幣収納ユニット
２１  紙幣投入口
２２  紙幣出金口
２３  紙幣搬送機構
２４  紙幣鑑別センサ
２５  紙幣収納庫
２５ａ  精査庫
２５ｂ  １０００円紙幣収納庫
２５ｃ  混合紙幣収納庫
３０  操作表示部
３０ａ  表示部
３０ｂ  操作部
４０  制御部
Ｅ１  メッセージ表示領域
Ｅ２  金額入力部
Ｅａ  お買い上げ領域
Ｅｂ  お預り領域
Ｅｃ  お釣り領域
Ｅｄ  領域
Ｎ  通信線
Ｓ１  対顧客取引処理
【図１】
2015225614.tif 000003
【図２】
2015225614.tif 000004
【図３】
2015225614.tif 000005
【図４】
2015225614.tif 000006
【図５】
2015225614.tif 000007
【図６】
2015225614.tif 000008
【図７】
2015225614.tif 000009